(57)【要約】【課題】本発明は、消費電力が少なくパッケージング工程が容易でありながらスイッチング速度が速い光スイッチを提供する。【解決手段】本発明による光スイッチは、光信号が入力される入力側光ファイバ３１に連結される入力側導波路３２；光信号が出力されるべき多数の出力側光ファイバ３３に各々連結される多数の出力側導波路３４ａ、３４ｂ；前記入力側導波路３２と出力側導波路３４との間に位置し、固定部３８と、前記固定部３８にスプリングで連結され所定の力により動き変位が生じる可動部３６とで成るＭＥＭＳ構造のアクチュエータ３７；及び、前記アクチュエータ３７の可動部３６上においてその変位方向に応じて各々前記可動部３６が動き、その一端が前記入力側導波路３２と向き合う際、各々の出力端は対応する多数の出力側導波路３４と各々向き合うよう形成される多数の可動導波路３５ａ、３５ｂから成る。【選択図】図１
2005018015.tif 000002
【特許請求の範囲】
【請求項１】
光信号が入力される入力側光ファイバに連結される入力側導波路と、
光信号が出力されるべき多数の出力側光ファイバに各々連結される多数の出力側導波路と、
前記入力側導波路と出力側導波路との間に位置し、固定部と、前記固定部にスプリングで連結されて所定の力により動き変位が生じる可動部とで成るＭＥＭＳ構造のアクチュエータと、
前記アクチュエータの可動部上において当該可動部の変位方向に応じて各々前記可動部が動き、当該可動部の一端が前記入力側導波路と向き合う場合、各々の出力端は対応する多数の出力側導波路と各々向き合うよう形成される多数の可動導波路と、
を有することを特徴とする光スイッチ。
【請求項２】
前記光スイッチは、静電力を利用して前記アクチュエータの可動部を変位させるアクチュエータ駆動部をさらに有することを特徴とする請求項１に記載の光スイッチ。
【請求項３】
前記アクチュエータ駆動部は、
前記アクチュエータの可動部の一側端に一体に形成された櫛歯形態の可動電極と、
前記可動電極と所定間隔離れて固定設置される櫛歯形態の固定電極とを含み、
前記可動電極と固定電極に所定の電圧を印加し当該印加された電圧により発生した静電力により可動電極及び当該可動電極に一体に形成された可動部を変位させることを特徴とする請求項２に記載の光スイッチ。
【請求項４】
第１シリコン基板の上部にキャビティ（ｃａｖｉｔｙ）を形成する段階と、
前記キャビティが形成された第１シリコン基板の上部に第２シリコン基板を接合する段階と、
前記第２シリコン基板を所定の厚さに研磨する段階と、
前記研磨された第２シリコン基板の上部に所定の厚さの電極層を形成する段階と、
前記形成された電極層をエッチングしてＭＥＭＳ構造物に対応するマスク用電極パターンを形成する段階と、
前記第２シリコン基板及び電極パターンのクラッドとコアとで成る導波路を形成する段階と、
前記第２シリコン基板を電極パターンをマスクとしてエッチングしＭＥＭＳ構造物を形成する段階と、
を有することを特徴とする光スイッチの製造方法。
【請求項５】
前記方法は、
第１シリコン基板の下部所定位置に整列マークを形成する段階をさらに含み、
キャビティ形成、電極パターン形成、導波路形成段階においてキャビティ及び電極パターン及び導波路の位置を前記整列マークを基準に設定することを特徴とする請求項４に記載の光スイッチの製造方法。
【請求項６】
前記導波路形成段階は、
第２シリコン基板及び電極パターンの上部に下部クラッディングを蒸着する段階と、
前記形成された下部クラッディング層の上部にコアを装着する段階と、
前記コアが装着されたクラッディング層の上部に再びクラッディングを蒸着する段階と、
前記導波路部分を除いた残りの部分のクラッディングを除去する段階と、
を有することを特徴とする請求項４に記載の光スイッチの製造方法。
【発明の詳細な説明】
【技術分野】
【０００１】
本発明は波長分割多重化方式の光通信網において核心部品として用いる光スイッチに関するもので、より詳しくは応答速度及び消費電力が低く、単純な接合工程のみで光ファイバと連結可能で、パッケージング工程に要求される精密度及び便利性を保障する光スイッチ及びその製造方法に関するものである。
【背景技術】
【０００２】
一般に、光スイッチは波長分割多重化方式（Ｗａｖｅｌｅｎｇｔｈ  ｄｉｖｉｓｉｏｎ  ｍｕｌｔｉｐｌｅｘｉｎｇ；以下、ＷＤＭという。）の光通信網において、光ファイバを通して伝達される光信号の経路を変更する役目を果たすものとして、現在のところＭＥＭＳ（Ｍｉｃｒｏ  Ｅｌｅｃｔｒｏ  Ｍｅｃｈａｎｉｃａｌ  Ｓｙｓｔｅｍｓ）技術で具現された光スイッチと、熱エネルギーによる屈折率の変化を利用して具現された光スイッチとの両方で研究開発が進んでいる。
【０００３】
前記においてＭＥＭＳ光スイッチはＭＥＭＳ構造から成るアクチュエータの変位発生により入力端光ファイバから発された光が微細鏡で反射し２つ以上の方向に伝達されるようにした方式であり、その概略的な構造は図６に示したとおりである。
【０００４】
図６の（Ａ）、（Ｂ）に示したように、ＭＥＭＳ光スイッチは基本的に、スイッチングされる光信号が入力される入力端光ファイバ（８１１）と、前記入力端光ファイバ（８１１）に対して垂直方向に位置した第１出力端光ファイバ（８１２）と、前記入力端光ファイバ（８１１）に対して一直線上に位置した第２出力端光ファイバ（８１３）と、前記入力端光ファイバ（８１１）と第１、２出力端光ファイバ（８１２、８１３）との間に位置し反射により入力された光信号の方向を変えるための微細鏡（８１４）と、前記微細鏡（８１４）を動かすアクチュエータ（８１５）とで成り、前記アクチュエータ（８１５）を駆動して微細鏡（８１４）を入力端光ファイバ（８１１）と出力端光ファイバ（８１２、８１３）との間に位置させると入力端光ファイバ（８１１）から入力された光信号が前記微細鏡（８１４）から反射して第１出力端光ファイバ（８１２）へ進み、逆に前記アクチュエータ（８１５）が微細鏡（８１４）を退くよう移動させると、前記入力端光ファイバ（８１１）に入力された光信号は反射せずに直進し第２出力端光ファイバ（８１３）を通して出力される。
【０００５】
即ち、ＭＥＭＳ構造から成るアクチュエータ（８１５）の変位発生によりそれに連結された微細鏡（８１４）に変位が生じて光の方向を変えるもので、微細構造のアクチュエータを用いることによりスイッチング速度が速く、消費電力が少ない利点があるものの、パッケージング工程において入力端光ファイバと出力端光ファイバを精密に整列しなければならない困難がある。
【０００６】
次いで、図７は導波路の屈折率変化を利用する光スイッチを示した概略構成図である。これは入力側導波路（８２１）と相互に太さの異なる第１、２出力側導波路（８２２、８２３）をＹ字形に配置し、前記第１、２出力側導波路（８２２、８２３）のうち、より薄い方の第２導波路（８２３）上に熱を与えられるヒーティング手段（８２４）を設けて成るもので、ヒーティング手段（８２４）が動作しないオフ状態では入力側導波路（８２１）に入射した光信号が第１出力側導波路（８２２）に進行し、ヒーティング手段（８２４）が動作するオン状態では前記ヒーティング手段（８２４）からの熱エネルギーにより第２出力側導波路（８２３）の温度が上昇し屈折率が下がって入力側導波路（８２１）から入射した光信号が第２出力側導波路（８２３）に進行することにより、光信号の経路をスイッチングする。
【０００７】
こうした屈折率変化を利用した光スイッチはウェーハ上に導波路が直接作製される為、異なる導波路素子との集積が容易で、光ファイバを整列せずとも単に入力端と出力端各々に光ファイバを接合する工程によりパッケージングが可能な利点があるが、動作に熱エネルギーを使うことから電力消耗が大きく、スイッチング速度が遅いという欠点がある。
【発明の開示】
【発明が解決しようとする課題】
【０００８】
本発明は前述した従来の問題点を解決すべく案出されたもので、その目的はＭＥＭＳ構造の光スイッチの利点と導波路構造の光スイッチの利点のみを取り合わせて、消費電力が低くパッケージング工程が容易でありながらスイッチング速度が速い光スイッチを提供することにある。
【課題を解決するための手段】
【０００９】
前述した目的を成し遂げるための構成手段として、本発明は、光信号が入力される入力側光ファイバに連結される入力側導波路；光信号が出力されるべき多数の出力側光ファイバに各々連結される多数の出力側導波路；前記入力側導波路と出力側導波路との間に位置し、固定部と、前記固定部にスプリングで連結され所定の力により動き変位が生じる可動部とで成るＭＥＭＳ構造のアクチュエータ；及び、前記アクチュエータの可動部上においてその変位方向に応じて各々前記可動部が動きその一端が前記入力側導波路と向き合う場合、各々の出力端は対応する多数の出力側導波路と各々向き合うよう形成される多数の可動導波路から成る光スイッチを提供する。
【００１０】
前記本発明による光スイッチはＭＥＭＳ構造のアクチュエータにより可動導波路に変位が生じ入力側導波路を多数の出力側導波路に選択連結することにより、光信号のスイッチングを可能にしたもので、応答速度が速く消費電力が少なく、且つ光ファイバとの結合が容易であるとの効果を奏する。さらに、本発明による前記光スイッチは静電力を利用して前記アクチュエータの可動部を変位させるアクチュエータ駆動部をさらに含むことを特徴とし、前記アクチュエータ駆動部は前記アクチュエータの可動部の一側端に一体に形成された櫛歯形態の可動電極と、前記可動電極と所定間隔離れて固定設置される櫛歯形態の固定電極とを含み、前記可動電極と固定電極に所定の電圧を印加してその印加された電圧により発生した静電力により可動電極及びそれに一体に形成された可動部に変位を発生させることができる。
【００１１】
さらに、前述したような構造の本発明の光スイッチは、第１シリコン基板の上部にキャビティ（ｃａｖｉｔｙ）を形成する段階；前記キャビティが形成された第１シリコン基板の上部に第２シリコン基板を接合する段階；前記第２シリコン基板を所定の厚さに研磨する段階；前記研磨された第２シリコン基板の上部に所定の厚さの電極層を形成する段階；前記形成された電極層をエッチングしてＭＥＭＳ構造物に対応するマスク用電極パターンを形成する段階；前記第２シリコン基板及び電極パターンのクラッドとコアとで成る導波路を形成する段階；及び、前記第２シリコン基板を電極パターンをマスクにしてエッチングしＭＥＭＳ構造物を形成する段階から成る製造方法により製造することができる。
【００１２】
前記本発明による光スイッチの製造方法は、第１シリコン基板の下部所定位置に整列マークを形成する段階をさらに含み、キャビティ形成、電極パターン形成、導波路形成段階においてキャビティ及び電極パターン及び導波路の位置を前記整列マークを基準に設定することができる。また、前記本発明による光スイッチの製造方法において前記導波路形成段階は、第２シリコン基板及び電極パターンの上部に下部クラッディングを蒸着する段階；前記形成された下部クラッディング層の上部にコアを装着する段階；前記コアが装着されたクラッディング層の上部に再びクラッディングを蒸着する段階；及び、前記導波路部分を除く残りの部分のクラッディングを除去する段階から成ることができる。
【発明の効果】
【００１３】
上述したように、本発明による光スイッチは、光ファイバと連結される入出力部分は導波路で具現され、スイッチング部分はＭＥＭＳ構造物により入出力側導波路を各々連結する可動導波路を変化させる構造で具現することにより、消費電力が減りながら応答速度は速くなり、さらにパッケージング工程時の精密度への要求が緩まり、便宜を高めるという優れた効果を奏する。
【発明を実施するための最良の形態】
【００１４】
以下、添付の図面を参照しながら本発明による光スイッチの構成及びその製造方法について説明する。図１の（Ａ）、（Ｂ）は本発明による光スイッチの基本構成を示したもので、各々相異する動作状態を示したものである。
【００１５】
図１の（Ａ）はオフセット状態の光スイッチで、これを参照すると本発明による光スイッチ（３０）は、光が伝達される入力側光ファイバ（３１）に連結される入力側導波路（３２）と、光が出力されるべき２つ以上の出力側光ファイバ（３３）に各々連結される多数の出力側導波路（３４）と、前記入力側導波路（３２）と多数の出力側導波路（３４）との間を各々一対一で連結する多数の可動導波路（３５）と、所定のベース（図示せず）上に固定されている固定部（３８）と前記固定部（３８）にスプリングで連結され前記多数の可動導波路（３５）がその上部に配列され所定の力により変位が発生する可動部（３６）とで成るアクチュエータ（３７）とから成る。
【００１６】
前記において、入力側導波路（３２）と出力側導波路（３４）は固定設置されるもので、ウェーハ上に直接作製でき、信号伝達媒体に用いられる光ファイバ（３１、３３）に各々ボンディング技術により連結される。この際、前記において出力側導波路（３４）を２個に構成したが、これはスイッチング経路の数に比例して増加でき、それに応じて可動導波路（３５）の数も増加する。
【００１７】
さらに、前記出力側導波路（３４）は各々相異する光ファイバに連結されるもので、特にその配置形態が限定されるわけではないが、好ましくは図１（Ａ）に示したように略平行に配置することが出力側光ファイバ（３３）の連結や可動導波路（３５）の形成にあたり便宜が図れる。
【００１８】
さらに、前記多数の可動導波路（３５）は前記出力側導波路（３４）の数と同じ個数で形成され、一端が前記入力側導波路（３２）に近接して向き合うと、その他端は各々対応する出力側導波路（３４）と近接して向き合えるよう形成され、このようにさせるべく一部の可動導波路（３５）にはやや屈曲が形成されることもできる。
【００１９】
図１の（Ａ）に示した図面は可動導波路（３５）の構造を分かり易く模式化したもので、実際の具現においては前記導波路（３２、３４、３５）は大変微細な太さになる為、前記多数の可動導波路（３５）は略直線に近い形態となる。しかも、前記可動導波路（３５）はＭＥＭＳ構造に形成されたアクチュエータ（３７）の可動部（３６）上に形成され可動部（３６）と一体に動く。
【００２０】
そして、前記アクチュエータ（３７）はＭＥＭＳ構造から成るもので、位置が固定されている固定部（３８）と、前記固定部（３８）にスプリングで連結され所定の力（例えば、静電力や熱など）により図面上においてｙ軸方向に変位可能な可動部（３６）とで成る。
【００２１】
こうした可動部（３６）の上部に変位方向に前記多数の可動導波路（３５）が一列に配置され、前記可動部（３６）のｙ軸方向の変位を調整することにより入力側導波路（３２）に多数の出力側導波路（３４）を選択的に連結することができるよう構成される。
【００２２】
前記のように構成された光スイッチの動作は次のように行われる。図１において（Ａ）はアクチュエータ（３７）が動かない初期状態の光スイッチの動作状態を示し、（Ｂ）はアクチュエータ（３７）が動いた場合の光スイッチの動作状態を示す。
【００２３】
初期オフ状態においては、図１の（Ａ）に示したように、前記アクチュエータ（３７）の可動部（３６）のｙ軸変位には変化が無く、この際、多数の可動導波路（３５）中第１可動導波路（３５ａ）の一端が入力側導波路（３２）と向き合い、その他端が下端の出力側導波路（３４）と向き合うようになる。従って、入力側光ファイバ（３１）から入射した光信号が可動導波路（３５ａ）を通して第１出力側導波路（３４ａ）に連結された出力側光ファイバ（３３ａ）に伝達される。
【００２４】
また、アクチュエータ（３７）が−ｙ方向に動く場合、図１の（Ｂ）に示したように、入力側導波路（３２）と出力側導波路（３４ｂ）とが第２可動導波路（３５ｂ）により連結され、従って、入力側光ファイバ（３１）から入射した光信号が可動導波路（３５ｂ）を通して出力側導波路（３４ｂ）に連結された出力側光ファイバ（３３ｂ）に伝達される。
【００２５】
結果として、前記アクチュエータ（３７）の動作により入力側導波路（３２）に印加された光信号は２個の経路（ｐａｔｈ１、ｐａｔｈ２）中１個に選択的に伝達される。図１においては最も簡単な形態として、経路を２個のみ構成したが、このスイッチング経路は前記可動導波路（３５）及び出力側導波路（３４）の数に比例して増加することができる。
【００２６】
図２は４個のスイッチング経路を有する本発明による光スイッチを示したもので、（Ａ）、（Ｂ）は各々相異するスイッチング経路を設定した状態を示す。図２に示した光スイッチは、固定された位置を有する入力側導波路（４２）と、アクチュエータ（４７）の変位方向に配列され固定された４個の出力側導波路（４４）と、固定部（４８）にスプリングで連結され外部の所定の力によりｙ軸方向に変位される可動部（４６）を有するアクチュエータ（４７）と、前記アクチュエータ（４７）の可動部（４６）上端に位置しアクチュエータ（４７）の変位方向に配列され、各々前記アクチュエータ（４７）の可動部（４６）の移動位置別に一端は入力側導波路（４２）に共通に対応し、他端は４個の出力側導波路（４４）に各々対応するよう形成される４個の可動導波路（４５）とを具備する。
【００２７】
前記光スイッチは、初期状態においては図２の（Ａ）に示したように、入力側導波路（４２）が最下部分に位置した可動導波路（４５）の一端と向き合い、前記入力側導波路（４２）に連結された可動導波路（４５）の他端は最下部分に位置した出力側導波路（４４）と向き合う。従って、入力側光ファイバ（４１）から伝達された光信号は第１出力側光ファイバ（４３ａ）に伝達される。
【００２８】
さらに、前記アクチュエータ（４７）の可動部（４６）を−ｙ方向に所定間隔移動させると、図２の（Ｂ）に示したように、入力側導波路（４２）と第２可動導波路（４５ｂ）の一端とが向き合い、前記第２可動導波路（４５ｂ）の他端と第２出力側光ファイバ（４４ｂ）とが向き合い、入力側光ファイバ（４１）から伝達された光信号が第２出力側光ファイバ（４３ｂ）に伝達される。
【００２９】
同様に、前記アクチュエータ（４７）の可動部（４６）を−ｙ方向に移動させ続けることにより入力側導波路（４２）−第３可動導波路（４５ｃ）−第３出力側導波路（４４ｃ）または入力側導波路（４２）−第４可動導波路（４５ｄ）−第４出力側導波路（４４ｄ）が繋がれ、入力側光ファイバ（４１）から伝達された光信号が第３または第４光ファイバ（４３ｃ、４３ｄ）に伝達される。
【００３０】
結果として、前記アクチュエータ（４７）の可動部（４６）の変位を微調整することにより入力側光ファイバ（４１）から伝達される光信号を第１ないし第４出力側光ファイバ（４３ａ〜４３ｄ）中一側にスイッチングできるようになる。
【００３１】
前記において、アクチュエータ（４７）の可動部（４６）変位の微調整は、例えば静電力や熱など多様な力により行うことができ、こうしたＭＥＭＳ構造における可動部可動原理は一般に周知である。
【００３２】
図３は本発明による光スイッチの具体的な実施形態で、一般にＭＥＭＳ技術分野において広く利用される静電力変化により光経路を変更する光スイッチ構造である。図３によると、先に図１に示した構成において、アクチュエータ（３７）の一端に櫛歯（ｃｏｍｂ）形態の可動電極（３７ａ）が形成され、前記可動電極（３７ａ）と所定間隔離隔され固定電極（３７ｂ）が形成される。
【００３３】
前記可動電極（３７ａ）と固定電極（３７ｂ）に電圧が印加されない状態では可動部（３６）に変位が生じなく、従って、図３の（Ａ）に示したように初期設計状態のまま入力側導波路（３２）と第１出力側導波路（３４ａ）との間に第１可動導波路（３５ａ）が位置するようになる。そして、前記可動電極（３７ａ）と固定電極（３７ｂ）に各々所定の電圧を印加すると、可動電極（３７ａ）と固定電極（３７ｂ）との間に所定の電圧差が生じ、静電力が発生し、それに応じて可動電極（３７ａ）及びそれに一体に連結された可動部（３６）が−ｙ方向に移動し、図３の（Ｂ）に示したように第２可動導波路（３５ｂ）が入力側導波路（３２）と第２出力側導波路（３４ｂ）との間に位置するようになる。
【００３４】
前記可動電極（３７ａ）の移動距離は可動電極（３７ａ）と固定電極（３７ｂ）との間の静電力に比例し、前記可動電極（３７ａ）と固定電極（３７ｂ）との間に発生する静電力は前記電極（３７ａ、３７ｂ）同士の電圧差による為、可動電極（３７ａ）と固定電極（３７ｂ）に与えられる電圧レベルを調整することにより可動電極（３７ａ）の移動距離を調整することができる。従って、外部から印加される電圧信号を制御することによりアクチュエータ（３７）変位の微調整が可能になり、結果としてスイッチング経路の制御が可能になる。
【００３５】
以上説明した本発明の光スイッチはＭＥＭＳ構造物と導波路とを結合して具現されるもので、その製造方法は図４に示したように行われる。前記光スイッチの製造過程を図４のフローチャート及び図５の工程図を参照しながら以下に説明する。
【００３６】
先ず、上述したアクチュエータ及び導波路を支持する第１シリコン基板（７１）上にアクチュエータ（３７、４７）の可動部（３６、４６）が位置されるキャビティ（ｃａｖｉｔｙ）（７１ｂ）を形成する（６０１）。
【００３７】
前記キャビティ形成過程は先ず、図５の（ａ）に示したように、以降キャビティ（ｃａｖｉｔｙ）の上部にアクチュエータ（３７、４７）の可動部（３６、４６）が正確に配置されるよう基準位置を取るべく、先ず前記第１シリコン基板（７１）の下面に整列マーク（７１ａ）を形成する。前記整列マーク（７１ａ）は、第１シリコン基板（７１）の下面にリソグラフィー（ｌｉｔｈｏｇｒａｐｈｙ）工程により感光剤（ｐｒ）パターンを形成してから、エッチングにより整列マーク（７１ａ）を形成する。前記整列マーク（７１ａ）の大きさは特に制限されない。
【００３８】
次いで、同じ工程により図５の（ｂ）に図示したように前記第１シリコン基板（７１）の上面の整列マーク（７１ａ）と対向する位置を食刻してキャビティ（７１ｂ）を形成する。そうしてから、図５の（ｃ）に示したように、残った感光剤を除去後、前記第１シリコン（７１）の上面にアクチュエータ（３７、４７）を具現する第２シリコン基板（７２）をボンディングし、前記第２シリコン基板（７２）を研磨（ｐｏｌｉｓｈｉｎｇ）して所定の厚さにする（６０２）。
【００３９】
次いで、前記研磨された第２シリコン基板（７２’）の上部に伝導性メタルを蒸着してメタル層（７３）を形成する（６０３）。前記メタル層（７３）はアクチュエータ（３７、４７）部分に対するドライエッチングマスクの役目を果たし、完成後には電極として機能する。この際、前記メタル層（７３）はスパッタリング（ｓｐｕｔｔｅｒｉｎｇ）、蒸着（ｅｖａｐｏｒａｔｉｏｎ）などの工程により第２シリコン基板（７２’）との食刻選択比に鑑みた所定の厚さに蒸着する。
【００４０】
次の段階６０４において、図５の（ｅ）に示したように、前記メタル層（７３）の上部にアクチュエータ（３７、４７）を形成するための食刻パターンを感光膜（ＰＲ）で形成し、前記感光膜（ＰＲ）を食刻マスクとしてマスキングされない残りのメタルを湿式または乾式で食刻しマスク兼用電極パターン（７３’）を形成する（６０４）。この際、前記マスクパターンは整列マーク（７１ａ）を基準にパターニングされる。前記において、電極パターン（７３’）をマスクとして第２シリコン基板（７２’）を食刻することによりアクチュエータ（３７、４７）を完成することができるが、導波路（３２、３４）を形成するためにまだ残しておく。
【００４１】
そして、段階６０５においては、図５の（ｆ）に示したように、前記電極パターン（７３’）が形成された第２シリコン基板（７２’）の上部に下部クラッド層（７４）を形成する（６０５）。
【００４２】
次の段階６０６において、前記下部クラッド層（７４）の上部にコア（７５）を形成する。この際、図５の（ｇ）に示したように、整列マーク（７１ａ）を基準に前記図１及び図２において可動導波路（３５、４５）に対応するコア（７５）が位置する。
【００４３】
次いで、図５の（ｈ）に示したように前記コア（７５）の上部に再びクラッドを蒸着して上部クラッド層（７７）を形成する（６０７）。
【００４４】
次の段階６０８において、設計された導波路の他の部分に蒸着されたクラッドを除去して図１及び図２の入力側、可動、及び出力側導波路（３２、３４、３５、４２、４４、４５）部分を形成する（６０８）。
【００４５】
一般に、導波路は材質に応じてシリカ系とポリマー系の２種に大別できるが、こうした両方すべてを本発明の光スイッチに適用することができる。図５の（ｆ）〜（ｉ）には導波路形成工程として代表的なＦＨＤ方式による作製過程を示した。
【００４６】
続いて、最後の段階６０９として、先の段階６０４において形成された前側パターン（７３’）をマスクとして露出した残りの第２シリコン基板（７２’）をエッチングしてＭＥＭＳ構造物、即ちアクチュエータ（３７、４７）を完成する。
【００４７】
以上の製造工程において、第２シリコン基板（７２）に形成されるＭＥＭＳ構造物のアクチュエータ（３７、４７）と導波路の位置は前記第１シリコン基板（７１）の下部に形成された整列マーク（７１ａ）を基準に整列させ、第１シリコン基板（７１）のキャビティ（７１ｂ）上にアクチュエータの可動部（３６、４６）が位置し、前記可動部（３６、４６）の上部に可動導波路（３５、４５）が形成されるようにする。
【００４８】
図５の（ｊ）は以上の工程から完成された光スイッチの断面図で、図１の（Ａ）、（Ｂ）に示した本発明による光スイッチのＡ−Ａ’断面図となる。図５の（ｊ）によると、入力側導波路（３２）、出力側導波路（３４）、可動導波路（３５）は同じ水平面上に形成され、とりわけ前記可動導波路（３５）は前記導波路（３２、３４、３５）が形成された水平面上で所定方向に変位される。そして、前記可動導波路（３５）とアクチュエータの可動部（３６、４６）とキャビティ（７１ｂ）とが垂直に配列され、一体となって変位される。
【００４９】
前記のように構成された光スイッチは、入出力側に導波路が各々具備されるので光ファイバとボンディングすることによりパッケージング工程が行われることができ、またスイッチング機能を行う部分がＭＥＭＳ構造により具現されることから、消費電力が減り応答速度は速くなることができる。
【図面の簡単な説明】
【００５０】
【図１】（Ａ）、（Ｂ）は本発明による光スイッチの基本構造及び動作状態を示した図面である。
【図２】（Ａ）、（Ｂ）は本発明による光スイッチの拡大実施例の構造及び動作状態を示したブロック図である。
【図３】（Ａ）、（Ｂ）は本発明による光スイッチの具体的な実施形態を示した図面である。
【図４】本発明による光スイッチの製造方法を順次に示したフローチャートである。
【図５】本発明による光スイッチの製造方法を工程別に示した図面である。
【図６】従来のＭＥＭＳ光スイッチの構造を説明する模式図である。
【図７】従来の導波路光スイッチの構造を説明する模式図である。
【符号の説明】
【００５１】
３２、４２  入力側導波路
３４、４４  出力側導波路
３５、４５  可動導波路
３７、４７  アクチュエータ
【図１】
2005018015.tif 000003
【図２】
2005018015.tif 000004
【図３】
2005018015.tif 000005
【図４】
2005018015.tif 000006
【図５】
2005018015.tif 000007
【図６】
2005018015.tif 000008
【図７】
2005018015.tif 000009